(57)【要約】【課題】乗用走行機体の後部に昇降自在に取付けた機枠に、各種ばねタイン除草体を交換可能に取付け、水田の条間と株間を除草する水田除草機の提供。【解決手段】乗用走行機体１の後部に備える三点リンクヒッチ機構４を介し昇降自在に機枠９を連結し、縦桁９の前端部に高低調節可能な舟形滑走板１３を設ける。この機枠９は、前進方向に沿って中央部左右から後方に延設する縦桁１２と、この縦桁１２上に前進方向と直交に複数の横桁１８を前後間隔調節可能に取付け構成する。前記横桁１８に左右間隔の調節可能に除草体シャンクホルダー１９を取付け、各種のばねタインから成る除草体のシャンクを、前記除草体シャンクホルダー１９に取付け除草体群２０を構成する。【選択図】  図１           
2005287366.tif 000002
【特許請求の範囲】
【請求項１】
水田の稲株条間を走行する乗用走行機体の後部に昇降自在に連結し、前部中央の左右から前進方向に沿って後方に延設した縦桁に、前進方向と直交に複数の横桁を前後間隔の調節可能に取付けた機枠と、前記左右の縦桁前端部に取付け高低調節可能に田面に接地する左右の舟形滑走板と、水稲の条列上および条間に交換可能に配設する条鋼のばねタインから成る除草体群と、を備えた水田除草機。
【請求項２】
前記機枠が、前記縦桁が挿通し上下方向に嵌合孔を有するスライド金具と、このスライド金具の前記嵌合孔に上下位置調節可能に挿通する縦シャンクを下部に固着し、前記縦シャンクの上端部に前進方向と直交に円筒部を固着した横桁ホルダーとを備え、前記横桁を前記横桁ホルダーの円筒部に挿通し、前進方向に対し前傾、後傾自在に固定するものである、請求項１記載の水田除草機。
【請求項３】
前記除草体群中の除草体が、前記横桁に左右位置調節可能に除草体シャンクホルダーを取付け、前記除草体の上部に突設するシャンクを前記除草体シャンクホルダーのシャンク挿通孔に挿通し、後方斜め下向きに取付け固定されるものである、請求項1又は２記載の水田除草機。
【請求項４】
前記除草体群中の除草体が、上端部をタイン固定体に固定し、中間部を外方に湾曲した左右のばねタインの下端部に、それぞれ刃縁を前方に向け前進方向に対し逆ハ字状にかつ水平面に対し貫入角を与えて鎌刃を固着した左右の鎌刃を含む外湾曲ばねタインと、この左右の鎌刃を含む外湾曲ばねタインの後方に位置し、前記タイン固定体にそれぞれ基端部を固定し、中間部を外方に湾曲させた左右の短ばねタインと、この短ばねタインに沿接し短ばねタインの下端部より下向き後方に延長し、先端部を内方に折曲げ交差させた長ばねタインと,前記短ばねタインと長ばねタインの沿接部に外嵌したゴムバンドと、前記タイン固定体の上端部に突設したシャンクを備えた、鎌刃を含む外湾曲ばねタイン除草体である請求項１、２又は３記載の水田除草機。
【請求項５】
前記タイン固定体が、ばねタインの上端部を所望位置に置き、プラスチックを流し込んで成形したプラスチック製タイン固定体である、請求項４記載の水田除草機。
【請求項６】
前記プラスチック製タイン固定体が、裏面に除草体のシャンク嵌入溝を上下方向の中央部に形成し、このシャンク嵌入溝の上下方向中心線上に止めボルト孔を設けているものである、請求項５記載の水田除草機。
【請求項７】
前記除草体群中の除草体が、前記タイン固定体に上端部を固定し、中間部を外方に湾曲させ先端を内方に折り曲げて交差させた左右の外湾曲内側ばねタインと、中間部を外方に湾曲させ先端部を内曲げした左右の外湾曲中間ばねタインと、中間部を外方に湾曲させ先端部を内曲げした左右の外側ばねタインとを、後方より順次前方へ配設し、下端が水平面に接する後方下向き傾斜に前記機枠の横桁に取付ける外方湾曲ばねタイン除草体である、請求項１、２又は３記載の水田除草機。
【請求項８】
前記除草体群中の除草体が、逆Ｔ形シャンクの下辺バーの両端部に、それぞれ先端部内曲げの左右外側ばねタインと左右中間ばねタインの上端部を着脱自在に固定し、前記逆Ｔ形シャンクの下辺バーの中間部に、それぞれ内曲げ先端を接触させた左右の内側ばねタインの上端部を取付け、前記逆Ｔ形シャンクの直立バーを前記横桁に取付けた除草体シャンクホルダーに挿通し、後方斜め下向き傾斜に固定するくま手ばねタイン除草体である、請求項１、２又は３記載の水田除草機。
【請求項９】
前記除草体群中の除草体が、逆Ｔ形シャンクの下辺バーの両端部に、それぞれ上部を角形外方に折り曲げるとともに、先端部を角型内方に折り曲げた角形折曲げ右外側ばねタインと角形折曲げ左外側ばねタインの頭部を着脱自在に取付け、前記逆Ｔ形シャンクの下辺バーの両端部よりも内側に、上部を角形外方に折り曲げるとともに、先端部を角形内方に折り曲げた角形折曲げ右内側ばねタインと角形折曲げ左内側ばねタインの頭部を着脱自在に取付け、左右外側および内側のばねタインの先端部をそれぞれ交差させた角形外方折曲げダブルばねタイン除草体である、請求項１、２又は３記載の水田除草機。
【請求項１０】
前記除草体群郡中の除草体が、逆Ｔ形シャンクの下辺バーの両端部に、それぞれ上部を角形外方に折り曲げ、先端部を角形内方に折り曲げた角形折曲げ右側ばねタインと角形折曲げ左側ばねタインの頭部を着脱自在に取付け、左右側のばねタインの先端部を交差させた角形外方折曲げシングルばねタイン除草体である、請求項１、２又は３記載の水田除草機。
【請求項１１】
前記除草体群中の除草体が、逆Ｔ形シャンクの下辺バーの両端部にそれぞれ頭部を着脱自在に取付け、前進方向に沿って中間部にコイルを形成して垂下し、先端部を内側に湾曲し交差させたコイルばねタイン除草体である、請求項１、２又は３記載の水田除草機。
【請求項１２】
前記除草体群中の除草体が、横バーの上面に左右のコイルの始端部を固着し、このコイル端末部を上方に延長し左右に並べて逆Ｔ形コイルばねシャンクを形成し、前記横バーの左および右端部に、上端部を左側および右側に直角に折り曲げた左曲りおよび右曲り逆Ｌ形平鋼柱体の上端部を、それぞれ縦軸周りに旋回固定自在に取付けて門形枠に構成し、前記左右柱体の下端部の外側および内側に、それぞれ基端部のコイルの端末を延長し端末部を前進方向に対し外側に折り曲げた左右の短コイルばねタインおよび長コイルばねタインを、コイル取付軸周りに上下旋回固定自在に取付け、門形除草体に形成したものである、請求項１、２又は３記載の水田除草機。
【請求項１３】
前記除草体群中の除草体が、上端にシャンクを突設した鋼板製タイン上端部結束体に複数のタインの上端部を固定し、側面視が突弧状の扇形ばねタインに形成し、前記上端のシャンクを挿通させる円筒体を縦シャンクの下端部に前進方向に沿って後方斜め下向き傾斜に固着し、前記縦シャンクを前記除草体シャンクホルダーに挿通固定する除草体連結体を、前記機枠の横桁に取付け、前記突弧状扇形ばねタインを突弧状または裏返して凹弧状に、前記除草体連結体の円筒体に前記上端のシャンクを取付けるものである、請求項１、２又は３記載の水田除草機。
【請求項１４】
前記除草体群中の除草体が、上端に基端部から斜め上方に折曲げたシャンクを突設したプラスチック製タイン上部結束体に複数のタインの上端部を固定し、側面視が突弧状の扇形ばねタインに形成し、この扇形状ばねタインを突弧状または裏返して凹弧状に、前記上端のシャンクを前記機体の横桁に取付けた除草体シャンクホルダーに取付け条間に配置するものである、請求項１、２又は3記載の水田除草機。
【発明の詳細な説明】
【技術分野】
【０００１】
本発明は、乗用走行機体の後部に昇降自在に連結する機枠に、付け換え可能に条鋼ばねタインからなる除草体を装着し、稲株条間及び株間を除草できるようにした水田除草機に関する。
【背景技術】
【０００２】
水田の雑草を除草するものとして、人力回転式水田除草機や水田除草剤の使用および乗用走行機体けん引型水田除草機が知られている。水田除草剤は環境汚染防止のために使用が減少し、人力回転水田除草機の使用は、過酷な労働を強いるものである。したがって、労働軽減のために、機械除草が可能な水田除草機がみなをされ、多くの提案がなされている。
【０００３】
従来から、水稲の機械除草において、条間除草機構は比較的容易に得ることができるが、稲を傷めることなく株間を除草できる機構を得ることは困難とされていた。したがって、水田除草機には、株間除草機構に関する試みが多い。
【０００４】
例えば、特開平１０−２４３７０３号の水田用除草機は、稲株の列を多数有した水田に生えた雑草を除去ものとして、機枠に条間除草部と株間除草部とを設け、前記株間除草部を前記機枠に着脱可能にし、さらに、前記条間除草部によって除草された雑草を地中に押入する除草押入れ部を備えるとともに、前記除草押入部を前記株間除草部と交換可能にしている。
【０００５】
また、特開２００３−２０４７０８号の水田除草機は、条間除草機構と株間除草機構とからなる除草装置を、乗用走行機体の後部に昇降自在に連結したものである。とくに、株間除草機構を、左右に往復駆動される横長の可動枠に、植付け苗条に対応して複数本づつの除草タインを垂設し、この除草タインを可動枠ごと前記機枠に脱着可能にしている。
【特許文献１】特開１０−２４３７０３号公報
【特許文献２】特開２００３−２０４７０８号公報
【発明の開示】
【発明が解決しようとする課題】
【０００６】
一般に、稲株の成長は、成長度合いによって、稚苗、中苗、成苗に分けられる。稲株が稚苗のころは、まだ地中に根が充分に張っていないので、同時に条間と株間の除草を行なうと、条間については間題ないが、株間では稚苗が雑草と一緒に取られてしまう。そのため、水田除草機は、稚苗の時期には条間除草のみを行い、中苗、成苗になれば条間と株間の除草を同時に行なうことができるものが望ましい。
【０００７】
前記の特開２００３−２０４７０８号公報の水田除草機における条間除草機構は、植付け苗の条間に位置するように条間ピッチと同じピッチで並列に配備した複数の除草ロータを水平に支持し、全除草ロータを一体にダウンカット方向に回転駆動するように構成されている。また、株間除草機構は、線材を下向きに垂設した除草タインを左右に往復移動する可動枠に取付けている。
【０００８】
一方、特開平１０−２４３７０３号公報のものは、機枠に設けられた条間除草部と、機枠に着脱可能に設けられた株間除草部と、条間除草部で除草され条間に残る雑草を地中に押入する除草押入部を備えている。そして、株間除草部は、機枠の幅方向に延びるシャフトに設けられ先端部が稲株の両側に位置する一対のアームの先端に、雑草を回転により掻取る複数のフインガを備え、上記一対のアームの組を上記シャフトに複数設けている。また、前記除草押入部は、機枠幅方向に軸線を有し、回転によって条間に残る雑草を地中に押入するドラムを設けたものである。
【０００９】
上述した水田除草機は、条間除草の除草ロータを回転するための回転機構や、株間除草の可動枠を往復動するための駆動機構、あるいは回転ロッドの回転によって株間の雑草を掻取るフインガを設けるなど、構成が複雑で製作コストが高くなる。
【００１０】
そこで、本発明は、水田の条間を走行可能な乗用走行機体の後部に昇降自在に機枠を取付け、この機枠にばねタインから成る各種の除草体を交換可能に取付け、回転機構や可動枠等を用いることなく単純な構成で、条間、株間および除草され条間に浮いている雑草を地中に押入れることができる水田除草機の提供を目的にしている。
【課題を解決するための手段】
【００１１】
上記の目的を達成するために、水田の植付け条間を走行できる乗用走行機体に機枠を昇降自在に取付けた。前記機枠は,前部中央の左右から前進方向に沿って後方に延長する縦桁を設け、この縦桁上に前後間隔調節可能に複数の横桁を前進方向と直交に取付けた。また、前記縦桁の前端部に田面に接地する舟形滑走板を高低調節自在に設け、田面からの機枠の高さを保持できるようにした。前記の横桁には、ばねタインから成る各種の除草体を交換可能に取付け、除草体群を形成し水田除草機を構成した。
【００１２】
とくに、株間除草については、中間部を外方にわん曲させ端末部を内方折曲げ部にした左右の除草タインの端末先端部を交差させた。すなわち、ばねタイン端末の交差部を稲株上に配置すれば、前進により交差部が稲株の側面に触れタインのばね力に抗して開き、稲株を傷めることがない。さらに前進すると、交差部が稲株から離れてばね力で自動的に閉じ、前方の稲株までの株間を除草することができるのである。
【００１３】
条間の除草には、線条から成る左右のばねタインの先端部に前進方向に刃縁を向け逆ハ字状に鎌刃を固着したもの、線条ばねタインの先端を内曲げし、前進により田面を撹拌して除草できるものを用いた。また、逆Ｔ形シャンクの下辺バーに条鋼ばねタインを並列に配置し、くま手ばねタインを構成したものを除草体にした。
【００１４】
また、逆Ｔ形シャンクの両端部に、それぞれ上部を角形外方折曲げにし下部を内曲げにし先端部を交差させたばねタインを外側と内側に取付け、角形外方折曲げダブルばねタイン除草体を用いた。また、同様の構成にした角形外方折曲げシングルばねタイン除草体を用いた。
【００１５】
同じく、逆Ｔ形シャンクの下辺バーの両端部に、コイルばねの始端部を取付け、このコイルばねの端末を垂下し、先端部を内側に湾曲して交差させたコイルばねタイン除草体を用いた。
【００１６】
また、除草体群中の除草体として門形除草体を用いた。すなわち、横バーの上面に一端を固着した左右のコイルの端末を上方に延長して併設し、コイルばねシャンクを形成する。そして、前記横バーの両端部に、それぞれ左曲りおよび右曲り逆Ｌ形平鋼柱体の上端部を、それぞれ縦軸周りに旋回固定自在に取付け門形枠を形成した。この左右の柱体の内、外面に、基端部のコイル端末を延長し、前進方向に対し外側に折曲げた短コイルばねタインおよび長コイルばねタインを、コイル取付軸周りに上下旋回自在に取付け門形除草体とした。
【００１７】
また、除草体として、上端にシャンクを突設した鋼板製のタイン上端部結束体に、複数のタインの上端部を固定し、側面視が突弧状の扇形ばねタインに形成し、前記上端のシャンクを挿通させる円筒体を縦シャンクの下端部に前進方向に沿って後方斜め下向きに固着し、前記円筒体の上面に止めねじを設け、前記縦シャンクを前記除草体シャンクホルダーに挿通固定する除草体連結部を、前記機枠の横桁に取付け、この除草体連結部に前記扇形ばねタインのシャンクを取り付け固定するものを用い、扇形ばねタインを側面視が突弧状又は凹弧状に除草体連結部に取付け可能にした。
【００１８】
前記扇形ばねタインを、上端部結束体をプラスチックで形成し、このプラスチック上端部結束体の上端部に基端部から斜め上方に折り曲げたシャンクを突設し、前記扇形ばねタインを側面視突弧状または裏返して凹弧状に、前記シャンクを前記機体の横桁に取付けた除草体シャンクホルダーに取付けるものにした。
【発明の効果】
【００１９】
請求項１の水田除草機は、水田の条間を走行する乗用走行機体の後部に機枠を昇降自在に連結し、この機枠に各種の除草体を交換可能に取付け、除草体群を形成した。したがって、歩行することがないので、労力を大幅に軽減することができる。そして、除草体群中の除草体を適当なものに交換することによって、水田状態に対応して的確な除草ができる。
【００２０】
請求項２の発明は、前記機枠を左右の縦桁上に前進方向と直交に横桁を前後間隔および前傾、後傾を調節可能に横架したので、横桁に取付ける除草体を前進方向に対し適切な傾斜を与えることができる。また。前記縦桁の前端部に高低調節可能に田面を接地する舟形滑走板を取付けたので、機枠の地上高を適正に保ち、良好な除草作用を得ることができる。  
【００２１】
請求項３の発明は、前記横桁に縦方向に挿通孔を備えた除草体シャンクホルダーを取付け、除草体の上部に突設するシャンクを前記挿通孔に刺し込むことによって、除草体の上下位置を調節することができる。
【００２２】
請求項４の鎌刃を含む外湾曲ばねタイン除草体は、稲株左右の条間に鎌刃を前進方向に刃縁を向けてばねタインの下端部に逆ハ字状に固着した左右の外湾曲ばねタインを形成している。そして、この左右の外湾曲ばねタインの後方に、中間部を外方に湾曲させた左右の短ばねタインと長ばねタインを沿接し、これをゴムバンドで結束をするとともに、長ばねタインの先端部を内方に折曲げ交差させている。この除草体は、鎌刃が条間を除草し、同時に長ばねタイン先端部の交差部が株間を除草する。そして、短ばねタインと長ばねタインとをゴムバンドで結束したことによって、短ばねタインと長ばねタインとを一体的に作用させることができる。また、ゴムバンドの結束位置を上方にすると、長ばねタインの長さが長くなり、弾力を弱くすることができる。
【００２３】
請求項５のプラスチック製タイン固定体は、水田の水による腐食に強いタイン固定体にすることができる。請求項６のプラスチック固定体は、裏面の除草体のシャンク嵌入溝に除草体のシャンクを嵌入することにより、除草体を左右に揺動することなく取付けることができる。
【００２４】
請求項７の外方湾曲ばねタインは、先端を内方に折曲げて交差させた左右の外湾曲内側ばねタインで株間の除草ができ、左右外湾曲の中間ばねタインと左右の外側ばねタインは、内曲げ先端部が条間を撹拌し除草することができる。すなわち、この除草体は条間と株間を同時に除草することができる。
【００２５】
請求項８のくま手ばねタイン除草体は、稲株列上方に配置すると、先端部内曲げの左右外側ばねタインと左右中間ばねタインが条間を除草し、同時に、内曲げ先端部を接触させた内側ばねタインが株間を除草することができる。
【００２６】
また、請求項９の角形外方折曲げダブルばねタインは、タイン先端部の交差部が前後に配置されているので、二重に株間の雑草を除草し、雑草の取り残しを減少させる効果がある。請求項１０の角形外方折曲げシングルばねタイン除草体は、タイン端末部の交差が1箇所なので、株間の雑草が少ない場合に適し、けん引抵抗を減少させる効果がある。請求項９と１０の除草体は株間除草専用であるが、除草体群中において、例えば前記請求項７の外方湾曲ばねタインと併用することによって、同時に条間と株間の除草を行うことができる。
【００２７】
請求項１１のコイルばねタイン除草体は、構成を簡単にすることができる。また、左右のタイン先端部を交差させたので、株間の除草に適するものにできる。請求項１２の門形除草体は、上部の横バーに左曲りおよび右曲り逆Ｌ形平鋼柱体を縦軸周りに旋回固定自在に取付けたので、前進方向に対する前記柱体の角度を簡単に変えることができる。左右柱体の下端部外側と内側に、それぞれ前進方向に対し外方に折曲げた基部がコイルの短ばねタインおよび長ばねタインを上下旋回固定自在に取付け、長ばねタインの端末部を相互に接触するものにした。したがって、短ばねタインで条間を除草し、同時に長ばねタインで株間を除草することができる。
【００２８】
請求項１３の除草体は、シャンクを上端に突設した鋼板製タイン上端部結束体に、複数のタインの上端部を固定した側面視突弧状の扇形ばねタインである。この扇形ばねタインを、縦シャンクの下端部に止めねじ付きの円筒体を後方斜め下向き傾斜に固着した除草体連結部に、上端のシャンクを取付けるようにしている。したがって、扇形ばねタインを突弧状に前記円筒体に取付ければ、タイン先端部が条間の田面を引き掻いて除草することができる。突弧状の扇形ばねタインを裏返し、前記円筒体に取付ければ、凹弧状の扇形ばねタインとなり、除草され条間に浮いている雑草を泥中に押入れ死滅させることができる。
【００２９】
請求項１４の除草体は、上端に基端部から斜め上方に折曲げたシャンクを突設したプラスチック製タイン上部結束体に複数のタインの上端部を固定し、側面視突弧状の扇形ばねタインに形成したものである。この突弧状扇形ばねタインを突弧状または裏返して前記上端のシャンクを、前記機体の横桁に取付けた除草体シャンクホルダーに取付け、条間に配置するようにしたので、突弧状で条間を撹拌して除草し、凹弧状で条間に浮遊している雑草を泥中に押入れ死滅させることができる。この除草体の場合も、例えば請求項４の鎌刃を含む外湾曲ばねタイン除草体、請求項７の外方湾曲ばねタイン除草体と併用することにより条間と株間の同時除草ができる。
【発明を実施するための最良の形態】
【００３０】
除草体を配設する機枠は、左右の縦桁に複数の横桁を前後間隔の調節可能に取付け、乗用走行機体の後部に昇降自在に連結する。機体前部の左右には、稲株条間の田面を滑走する舟形滑走板を高低調節可能に設ける。前記横桁には、左右に位置を変更して固定できる除草体シャンクホルダーを取付ける。除草体は上端部にシャンクを突設し、このシャンクを前記除草体シャンクホルダーの除草体シャンク挿通縦孔に挿通し、高低を調節可能に固定する。
【００３１】
除草体は、ばね条鋼を用いて成形し、水田の稲株に沿って条間を支障なく移動可能にするため、横幅を条間より狭くする。株間を除草する除草体は、中間部を外湾曲させた左右のタインを斜め下向き後方に延長し、その端末部を内曲げして交差部にし、この交差部で株間を除草する。
【００３２】
また、条間と株間を同時に除草できる除草体には、タイン上端部を耐蝕性がよいプラスチック製タイン固定体で固定し、中間部を外湾曲させた左右のタインの下端に前進方向に刃縁を向け左右の鎌刃を逆ハ字に固着し、鎌刃で条間を切削するものにし、この鎌刃を備えた左右のばねタインの後方に外湾曲の左右の短ばねタインと長ばねタインを併設してゴムバンドで結束し、前記長ばねタインを下向き後方に延長し、先端部を交差させて株間を除草する鎌刃を含む外湾曲ばねタイン除草体を形成する。同じく条間と株間を同時に除草できる除草体として、逆T形シャンクにタイン上端部を固定するくま手ばねタイン除草体を形成する。
【００３３】
また、条間と株間を同時に除草できる除草体として、上部の横バー上に逆T形コイルシャンクを立設し、この横バーの左右にそれぞれ頭部を縦軸周りに旋回固定自在に取付けた右曲りと左曲りの逆L形平鋼柱体の下端部内側と外側に、前進方向に対しコイル端末を外側に折り曲げた短コイルばねタインと長コイルばねタインを横軸周りに上下旋回固定に取付け、門形除草体に形成する。
【００３４】
株間の除草用に、逆T形シャンクにタイン上端部を固定する角形折曲げダブルばねタイン除草体と角形折曲げシングルばねタイン除草体とを形成する。また、逆T形シャンクの左右にコイルばねタインの上端部をそれぞれ取付け、コイル端末を下方に延長し先端部を内曲げしたコイルばねタイン除草体を形成する。
【００３５】
条間の除草用として、タイン上端部をタイン上端部結束体で固定し、側面視が突弧状に形成する扇形ばねタイン除草体に形成する。そして、この突弧状扇形ばねタインは、裏返して取付けることにより側面視が凹弧状扇形ばねタインになり、除草されて条間に浮遊する雑草を泥中に押入れ死滅させる条間除草体に形成する。
【００３６】
本発明においては、条間と株間を同時に除草できる除草体、条間と株間のみを除草できる除草体を水田の状態に合せて適宜選択し、前記機枠の横桁に取付けた除草体シャンクホルダーに除草体上端のシャンクを取付け、前記機枠に除草体群を構成する。
【実施例１】
【００３７】
つぎに、図を参照して実施例を説明する。図において、記号F矢印は前進方向であり、以下の説明において、左右は断らない限り後方から見ての表示である。図1は、本発明に係わる水田除草機の全体側面図であり、図2は同じく水田における要部平面図、図3は同じく要部正面図、図4は同じく要部後方斜視図である。
【００３８】
図１において、１は乗用走行機体であり、２は操向車輪、3は後輪である。走行車輪２と3は水田の稲株条間を走行できる細幅の車輪である。4は乗用走行機体１の後部に設けられた三点リンクヒッチ機構であり、左右の下部リンク７、上部リンク８を備え、左右のリフトアーム５に連結されたリフトロッド６で左右の下部リンク７を油圧昇降するようになっている。油圧機構は乗用走行機体１に内蔵されている。
【００３９】
図２において、Ｐは稲株、Ｒは稲株条列、Ｄは稲株条間寸法、ｅは株間寸法である。苗移植が、田植機で行われると、条間寸法Ｄは３０ｃｍ、株間eは１８ｃｍである。乗用走行機体1は４条の稲株状列Ｒをまたいで条間を走行するものである。図２は、6条の稲株列Ｒを除草する形態を示したが、除草条列を増加するには水田除草機の横幅を拡大する。
【００４０】
図１、図２、図３および図４を参照して説明すると、９は機枠であり、前部に前記上部リンク８に連結するマスト１０を設け、マスト１０の下部後方に角鋼管から成る主横桁１１を備えている。１０aは上部リンク連結部であり、マスト１０の中央部に垂直に立設し、図３のように、上端部に横向き貫通に上部リンクピン２７を着脱自在に設けている。マスト１０は中央部で山形に折り曲げた平鋼製であり、左右両端部に下部リンクピン２６を横向きに突設している（図３参照）。
【００４１】
１２は縦桁であリ、平鋼板を用い主横桁１１の左右両端部に取付け前進方向に沿って後方に延設している。縦桁１２の前端部には、断面矩形の孔部を形成したシャンク取付部１５を垂直に固着している。シャンク取付部１５は側面に止めねじ１５aを螺着し、平鋼板のシャンク１４を前記矩形断面の孔部に挿通し、止めねじ１５aで固定するようになっている。
【００４２】
シャンク１４の下端部に田面に接地する舟形滑走板１３を固定している。舟形滑走板１３はプラスチック板製であり、図３に示すように、中央部にプレート２８を皿頭ボルト２９で固定し、シャンク１４の下端部をプレート２８に固着し、水平に設けている。皿頭ボルト２９は皿部を舟形滑走板の裏面側にし、裏面から突出物がないようにしている。舟形滑走板１３は、縦桁１２の下方４０cmを標準位置にしている。
【００４３】
図１０も参照して説明すると、16はスライド金具であり、縦桁１２に前後移動自在に嵌合し、位置を調節して止めねじ４０で固定するようになっている。スライド金具１６には横桁ホルダー１７が上下位置を調節して取付けられ、横桁ホルダー１７の上部に前進方向と横軸線を直交にして円筒部１７aが固着されている。円筒部１７に横桁１８を挿通し、横桁18に除草体シャンクホルダー１９を左右に位置を調節して固定するようになっている。１６aは、垂直に形成された横桁ホルダー１７の縦シャンク嵌合孔であり、１６bは横桁嵌合孔で水平に形成されている。４０は、スライド金具１６の左右にそれぞれ設けた止めねじであり、右側のものは縦桁１２に固定するものであり。左側のは横桁ホルダー１７の縦シャンク１７bを固定するものである。
【００４４】
図１１は図１０のＣ−Ｃ線矢視の断面図である。図１１において、横桁ホルダー１７は、円筒部１７aの下面中央部に、平鋼板を用いた縦シャンク１７bが円筒横軸線と平行に頭部を固着され、円筒部１７a内に横軸１８を挿通し、上部と真横部に設けた止めねじ２２で固定している。横桁１８は、止めねじ２２の出入によって、前傾または後傾状態に固定できるようになっている。４６は止めねじ２２のロックナットである。
【００４５】
図２において、横桁18は、横桁連結ボルト２３で連結し、長さを延長できるようになっている。実施例は、縦桁１２を左右に配置し、横桁１８が前後に4本が平行に横桁ホルダー１７に挿通されている。前方3本の横桁１８には、稲株列上方に除草体シャンクホルダー１９を６個ずつ計１８個配設し、４本目の横桁１８には5個の除草体シャンクホルダー１９をそれぞれ稲株条間に配設している。図１、図４における２０は除草体群であり、除草体シャンクホルダー１９に除草体のシャンクを取り付け、除草体を機枠９に配設している。
【００４６】
つぎに、図５は図３右端部の正面斜視図であり、図６は図３の要部正面図、図7は図６の平面図である。図5〜図７において、２４はマスト結合プレート、２５は縦桁結合プレートであり、主横桁１１を横断しボルト３１で着脱可能に主横桁１１に取付けている。３０は下部支持体であり、マスト結合プレート２４の下方で主横桁１１の下面に当接し、前記の通しボルト３１をマスト結合プレート２４とに連通し、主横桁１１に固定されている。同様に、３２は下部支持体であり、下部支持体３０の外方で主横桁１１の下面に当接し、通しボルト３１が縦桁結合プレート２５とに連通し、主横桁１１に固定されている。
【００４７】
Ａ−Ａ線断面図である図８において、前記の下部支持体３０は上面中間部の前後に主横桁１１を挟むブラケット３３、３４を立設し、前端部にマスト１０の端末部に溶着する溶着片３０aを立設している。そして、下部支持体３０とマスト連結プレート２４を通しボルト３１で緊締することにより、主横桁１１の前部にマスト１０を連結している（図７参照）。
【００４８】
図９は図６のＢ−Ｂ線断面図である。図９、図10を参照して説明すると、前述した下部支持体３５は、上面中間部の前後に主横桁１１を挟むブラケット３６、３７を立設し、さらにの内側にフランジ部３５ａを直角に突設している。下部支持体３５の上面に主横桁１１をブラケット３６、３７の間に置き、通しボルト３１で縦桁結合プレート２５と下部支持体３５を取付け、主横桁１１に下部支持体３５が固定されている。３５bは、下部支持体３５上面の前後に設け、通しボルト３１が挿通するボルト孔である。
【００４９】
縦桁１２は、前端部の前後にボルト孔４５を設け、下部支持体３５のフランジ部３５aとボルト孔４５に縦桁固定ボルト３８を連通してナット３９で緊締し、主横桁１１の両端部に前進方向に沿って後方に延設されている。
【００５０】
図１２、図１３において、１９は、鋳鉄製の除草体シャンクホルダーであり、円筒部４３の前面中央部にロックナット４６を設けた止めねじ４５aを螺着している。円筒部４３は、中心部に除草体シャンク挿通縦孔４４を形成している。4１は横桁挿通部であり、円筒部４３の後部に一体に形成され、水平に横桁挿通角孔４２を形成している。
【００５１】
つぎに、除草体群２０における除草体を説明する。図１４の４７は鎌刃を含む外湾曲ばねタイン除草体である。５７はばねタインを所定位置に配置してプラスチック材を流し込んで成形したプラスチック製タイン固定体であり、左右の鎌刃付外湾曲タイン５０、４８と左右側の外湾曲短ばねタイン５５、５４および左右側の外湾曲長ばねタイン５２、５３の上端部が、プラスチック製タイン固定体５７に固定されている。
【００５２】
右鎌刃付外湾曲ばねタイン４８と左鎌刃付外湾曲ばねタイン５０は、線径５．５mm、長さ３０５mmのばね条鋼を外方に湾曲させ、両者の外側間の最大幅を２３０mmにし、それぞれ下端部に刃縁を前進方向に向け左鎌刃５１、右鎌刃４９の基端部を固着するとともに、前進方向に対し逆ハ字状に配設している。図１５は前記鎌刃部分の平面図であり、右側鎌刃４９と左側鎌刃５１の先端間隙Ｃが６０mm、両者の挟角θが９０°、鎌刃長Ｌが１１cmである。図１６は、図１４のＤ―Ｄ線矢視の正面図であり、左側鎌刃５１の根元高さｈが１５mm、曲率半径Ｒが５００mmである。右側鎌刃４９も左側鎌刃５１と同様である。
【００５３】
図１７は図１５E― E線矢視の縦断面図である。同図において、左側鎌刃５１の幅ｗは１２mm、厚さｔが２mm、水平面ＨＬに対する貫入角αが７°である。図１４において、左側外湾曲長ばねタイン５３と右側外湾曲長ばねタイン５２は、線径３．５mmのばね条鋼を外側に湾曲させて下部を内側に折り曲げ、先端部を交差部６０にしている。前記下部折曲げ部までの長さが３４０mm、内側折曲げ部は長さ１４５mmであり、下向き高さが５０mmである。交差部６０は長さが１９mmである。
【００５４】
左側外曲げ短ばねタイン５５と左側外曲げ長ばねタイン５３とは沿接し、同じく右側外曲げ短ばねタイン５４と右側外湾曲長ばねタイン５２とは沿接し、それぞれゴムバンド５６で結束している。この構成は、短ばねタインが長ばねタインを補強するものであり、ゴムバンドの位置を上方にすると、長ばねタインの作用長さが長くなり、弾力が弱くなる。図１４では、ゴムバンド５６が短ばねタインの端末部に位置している。ゴムバンド５６は長さ１５mm、厚さ１．５mm、内径６．５mmのパイプ形状である。
【００５５】
図１８は、図１４のばねタイン上端部固定体５７の分解斜視図である。図１９は同じく裏面の斜視図である。図１８における５９は平鋼板を使用した除草体シャンクであり、下端部にねじ孔６２を設け、中間部から上方をわずかに上向に折曲している。５８は止めボルトであり、６１は止めボルト孔である。止めボルト５８はボルト孔６１を貫通しねじ孔６２に螺着し、除草体シャンク５９をプラスチック製タイン固定体５７の裏面に固定している。図１９の６３は除草体シャンク５９がちょうど嵌り込む除草体シャンク嵌入溝であり、中間部に前記した止めボルト孔６１が開口している。除草体シャンク嵌入溝６３に嵌入した除草体シャンク５９は、左右に揺動することがない。
【００５６】
図２０は、図１４で示した鎌刃を含む外湾曲ばね除草体４７の使用時における後方斜視図であり、稲株列Ｒに沿って水平面と約６０°の角度で前進するように、除草体シャンクホルダー１９に除草体シャンク５９が挿通され、止めねじ４５aで固定されている。右側鎌刃４９が稲株右側の条間を進行し、左側鎌刃５１が稲株左側の条間を進行し、条間を切削しながら雑草を除草する。左側外湾曲長ばねタイン５３と右側外湾曲長ばねタイン５２は、後述するように交差部６０で株間の雑草を除草する。図中、Ｐは稲株、Ｑは雑草である。
【００５７】
図２１は、前述の除草体４７の除草作用を説明するための要部後方斜視図である。稲株列Ｒの左右に位置する右側鎌刃４９と左側鎌刃５１は前進抵抗によって矢印ｆのように外方に移動する。この外方移動に対し、左側鎌刃付外湾曲ばねタイン５０と右側鎌刃付外湾曲ばねタイン４８は、その弾力によって内方への復帰作用を生ずる。したがって、左右側の鎌刃５１、４９は前進にしたがって外方移動と内方復帰を繰返し内外に細かく振動し、効果的に条間を切削し中耕作用とともに除草作用を行う。
【００５８】
一方、右側外湾曲長ばねタイン５２と左側外湾曲長ばねタイン５３は、交差部６０が稲株Ｐの外側面に接すると、右矢印ａと左矢印ａのように左右に開き稲株を傷めることがない。稲株Ｐを通過すると、ばねタインの弾力で交差部６０が左右の内向き矢印ｂに閉じ、つぎの稲株Pまでの株間を除草する。上述のように、鎌刃を含む外湾曲ばね除草体４７は条間と株間を同時に除草できる除草体である。
【００５９】
つぎに、図２２は外方湾曲ばねタイン除草体６４を示している。この除草体６４は、線径３．５mmのばね条鋼を使用し、最大幅が２３０mm、内側タインの先端部の交差長が１８mmである。上端部にはシャンク６５を突設し、プラスチック製タイン固定体７３に上端部を固定した右外湾曲外側ばねタイン７０、左外湾曲外側ばねタイン７１、右外湾曲中間ばねタイン６８、左外湾曲中間ばねタイン６９、右外湾曲内側ばねタイン６６および左外湾曲内側ばねタイン６７で構成されている。内側のばねタイン６６の内曲げ先端部６６aと内側ばねタイン６７の内曲げ先端部６７aは、株間を除草する先端交差部７２を形成し、中間ばねタイン６８、６９、外側ばねタイン７０、７１の先端部は、鈍角に折り曲げて内曲げ先端部６８a、６９a、７０a、７１aになっている。
【００６０】
図２３は、除草体６４の使用時の後方斜視図であり、除草体６４は上端のシャンク６５を除草体シャンクホルダー１９に挿通して固定し、稲株条列Ｒの直上方に配設する。左右の中間ばねタイン６８、６９および左右の外側ばねタイン７０、７１が先端部で条間除草を行い、左右の内側ばねタイン６６、６７の先端交差部７２で株間除草を行うものである。先端交差部７２の株間除草作用は、図２１で説明したのと同じである。外方湾曲ばねタイン除草体６４は、条間と株間の同時除草が可能な除草体である。
【００６１】
図２４は、くま手ばねタイン除草体７４の後方正面図である。この除草体７４は、線径３．５ｍｍ、全幅２７０ｍｍ、タイン長４２０ｍｍに構成し、逆Ｔ形シャンク７５の直立バー７５bを除草体シャンクホルダー１９に取付けるものである。逆T形シャンク７５の下辺バー７５a（幅２２mm、長さ２００mm、厚さ９mm）の中央部左右に、それぞれ先端内曲げ右内側ばねタイン７６、先端内曲げ左内側ばねタイン７７の頭部を止めボルト８２で固定し、先端内曲げ部７６aと先端内曲げ部７７aの先端を接触させている。この除草体７４は、稲株条列の直上方に設け、左右の内側ばねタイン７６、７７が株間除草を行い、左右の中間および外側のばねタイン７８、８０および７９、８１が条間の除草を行うものである。
【００６２】
下辺バー７５aの両端部には、それぞれ先端内曲げ右中間ばねタイン７８と先端内曲げ右外側ばねタイン８０の頭部を重ね、同様に先端内曲げ左中間ばねタイン７９と先端内曲げ左外側ばねタイン８１の頭部を重ね、それぞれ止めボルト８２で固定している。７８a、７９a、８０a、８１aは鈍角に折曲げた長さ５５mmの先端内曲げ部である。
【００６３】
図２５は、使用時の除草体７４の右側面図である。使用時には水平面ＨＬに対し約６０°の角度で横桁１８に除草体シャンクホルダー１９を介し取付ける。図２６は、くま手ばねタイン除草体７４の右端部の分解斜視図であり、先端内曲げ右中間ばねタイン７８と先端内曲げ右外側ばねタイン８０の環状頭部を重ね、止めボルト８２を連通し下辺バー７５aの右端部のねじ孔８３に螺着し緊締している。図中、８５は丸座金、８４はばね座金である。下辺バー７５aの左端部にも、同様にして先端内曲げ左中間ばねタイン７９、先端内曲げ左外側ばねタイン８１が取付られている。
【００６４】
図２７は、角形外方折曲げダブルばねタイン除草体８６の後方斜視図である。図中、９１は逆Ｔ形シャンクであり、除草体シャンクホルダー１９に挿通し、除草体８６が横桁１８に取付けられる。この除草体８６は線径５mmのばね条鋼で高さ３５０mm、角形折曲げ右外側ばねタイン８７と角形折曲げ左外側ばねタイン８９との外側間隔が３００mmである。角形折曲げ右内側ばねタイン８８と、同じく左内側ばねタイン９０の外側間隔は２２５mmである。
【００６５】
左右の外側のばねタイン８７、８９は、上端から１３５ｍｍ下方で１４０度内側に折曲げ、さらに下方１５８ｍｍの箇所で１３３度内側に折り曲げ、下部内側折曲げ部９４にしている。下部内側折曲げ部９４は長さが１３０mmであり、その端末を交差下端部９３に形成している。左右のボルト９２は、逆Ｔ形シャンク９１の下辺部９１aの両端部に左右の外側ばねタイン８９、８７の上端取付環部１０５に挿通し、左右間隔１９５mmで固定している。
【００６６】
８８は角形折曲げ右内側ばねタイン、９０は角形折曲げ左内側ばねタインであり、上端取付環部１０５を左右間隔８５mmにボルト９２で下辺部９１aに取付け、前記の左右外側ばねタイン８７、８９を相似形に縮小した形態に形成し、下部内側折曲げ部９５の端末部を交差下端部９６（図２９参照）にしている。  図２８は、角形外方折曲げダブルばねタイン除草体８６の使用時の右側面図である。同図のように、下部内側折折り曲げ部９５が下部内側折曲げ部９４の前方に位置し、交差下端部９６で株間除草を行った後に再び交差下端部９３が株間を除草、つまり、株間をダブル除草するようになっている。図２９は、図２８のF― F線矢視平面図であり、交差下端部９６、９３が前後一直線上に位置していることが示されている。
【００６７】
図３０は、角形外方折曲げシングルばねタイン除草体９７のの後方斜視図である。角形折曲げ右側ばねタイン１００と角形折曲げ左カ側ばねタイン１０１は、逆Ｔ形シャンク９８の下辺バー９９の両端部に、それぞれ頭部が取付ボルト１０４，１０４で固定されている。前記右側ばねタイン１００と左側ばねタイン１０１は、それぞれ前記ダブルばねタイン除草体８６の右外側ばねタイン８７、左外側ばねタイン８９と同様の構成である。１０２、１０３はそれぞれ右下部内方折曲げ部および左下部内方折曲げ部であり、端末部が交差部１０２aを形成している。図中の一点鎖線は、角形折曲げ右側ばねタイン１００と角形折曲げ左カ側ばねタイン１０１を取付ボルト１０４周りに内方旋回することによって、交差部１０２aの位置を変えることができる。
【００６８】
以上に説明した角形外方折曲げダブルばねタイン除草体８６と角形外方折曲げシングルばねタイン除草体９７は、交差下端部９３、９６および１０２aで株間の除草を行う除草体である。除草体８６は雑草の多い場合に有効であり、除草体９７は比較的雑草が少ない場合に適する。そして、条間の除草ができる、例えば、鎌刃を含む外湾曲ばねタイン除草体４７と併用するものである。
【００６９】
図３１は、コイルばねタイン除草体１０６の後方正面図である。図３１において、１１４は逆Ｔ形シャンク、１１５は下辺バーである。右側コイルばねタイン１０７と左側ばねタイン１１０は、長さ４３０mm、線径３．５mmのばね条鋼で途中に内径３０mmのコイル部１０９と１１２を形成している。１０８は下部左内曲げ湾曲部、１１１は下部右内曲げ湾曲部であり、両者の端末部を交差部１１３にしている。交差部１１３は株間を除草する部分である。
【００７０】
右側コイルばねタイン１０７と左側ばねタイン１１０は頭部が上端取付環部１１７に形成され、これを下辺バー１１５の両端部にそれぞれ取付けボルト１１６で固定している。下辺バー１１５は、厚さが６mm、幅２６mm、長さ２３５mmの平鋼板である。右側コイルばねタイン１０７と左側コイルばねタイン１１０の左右間隔は２００mmである。
【００７１】
図３２は、コイルばねタイン除草体１０６の使用時の右側面図であり、前記のコイル部１０９の中心と取付ボルト１１６の中心との寸法Ｌは９０mmである。除草体１０６は、水平面ＨＬに対し６０度の角度で前進するように、逆Ｔ形シャンク１１４の下端部が折り曲げられている。コイルばねタイン除草体１０６は株間除草用であり、条間除草ができる、例えばくま手ばねタイン除草体７４と併用するなどすればよい。
【００７２】
図３３は、門形除草体の後方斜視図である。図中、１１９は逆Ｔ形コイルばねシャンクであり、横バー１２２の上面中央に線径９mm、外径６０mmの左コイル部１２０と右コイル部１２１を左右に並べ、コイル始端を横バー１２２上面に溶着するとともに、終端部を上方に垂直に立ち上げシャンク１１９aにしている。このシャンク１１９aは、除草体シャンクホルダー１９に挿通し上下位置を調節して固定されるようになっている。前記の横バー１２２は、長さ２８０mm、幅２５mm、厚さ６mmの平鋼板である。
【００７３】
１２３は左曲り逆Ｌ形右平鋼柱体、１２４は右曲り逆Ｌ形左平鋼柱体であり、厚さ６mm、幅２２mmの平鋼板を用い、コイル部取付けねじ棒１２８までの高さが３００mmである。１２５は取付ボルトであり、左曲り逆Ｌ形右平鋼柱体１２３と右曲り逆L形平鋼柱体１２４の頭部を横バー１２２に固定している。取付けボルト１２５を緩めると、左曲り逆Ｌ形右平鋼柱体１２３と右曲り逆L形平鋼柱体１２４は、取付けボルト１２５縦軸周りに左右に旋回できるようになっている（図３５参照）。
【００７４】
１２６は右外曲げ短コイルばねタイン、１２７は右外曲げ長コイルばねタイン、１３１は左外曲げ短コイルばねタイン、１３２は左外曲げ長コイルばねタインであり、短コイルばねタインが線径５．５mm、長コイルばねタインが線径５mmであり、いずれもばね条鋼である。短コイルばねタインを線径5．５mmと長ばねコイルばねタインにしたのは、中耕作用もさせるためである。１２９、１３３は短タインのコイル部（外径６５mm）、１３０、１３４は長タインのコイル部（外径５５mm）である。図３４は、門形除草体の左部分の側面図である。図３４において、右曲り逆Ｌ形左平鋼柱体１２４の下端部に取付けられた左外曲げ短コイルばねタイン１３１、左外曲げ長コイルばねタイン１３２は端末部が前進方向Ｆの左側に折り曲げられている。
【００７５】
図３５は、図３３の要部分解斜視図である。図３５に示すように、横バー１２２の両端部には調節用にボルト貫通孔１３６を２個ずつ設けている。左曲り逆Ｌ形右平鋼柱体１２３、右曲り逆Ｌ形左平鋼柱体１２４の直角に折り曲げられた頭部にねじ孔１３７を設け、前述の取付けボルト１２５がばね座金１３５とボルト貫通孔１３６を通過し、ねじ孔１３７に螺着して左曲り逆Ｌ形右平鋼柱体１２３、右曲り逆Ｌ形左平鋼柱体１２４を横バー１２２に固定するようになっている。コイル取付ねじ棒１２８は、左曲り逆Ｌ形右平鋼柱体１２３、右曲り逆Ｌ形左平鋼柱体１２４の下端部を貫通し、両端部が内外面から突出するように螺着されている。
【００７６】
図３６は、門形除草体１１８右側のコイルばねタインの取付けを示す分解斜視図であり、左曲り逆Ｌ形右平鋼柱体１２３の下端部にコイル部取付けねじ棒１２８が、前述のように両端部が内外面から突出して設けられている。右側に丸座金１３９、ばね座金１４０、ナット１４０を順次外方に取付け、短タインのコイル部１２９中心部の円環取付部をコイル部取付ねじ棒１２８に外嵌し、順次外方に丸座金１４２、ばね座金１４３を外嵌し、ナット１４４で固定している。ナット１４４を緩めると、右外曲げ短コイルばねタイン１２６を上下に旋回し、前進方向に対する取付角を調節することができる。
【００７７】
同様に、左曲り逆L形右平鋼柱体１２３の下端部左側に突出したコイル部取付けねじ棒１２８に長タインのコイル部１３０中心部の円環取付部を外嵌し、順次外方に丸座金１４２、ばね座金１４３を外嵌し、ナット１４４をコイル部取付ねじ棒１２８に緊締して右外曲げ長コイルばねタイン１２７を、左曲り逆L形右平鋼柱体１２３の下端部に固定するようになっている。  
【００７８】
図３７は、図３３における右外曲げ短コイルばねタイン１２６の側面図、図３８は同じく平面図である。図３７、３８において、Ｌ１は短タインのコイル部１２９のＯ点から折曲げ点までの寸法１４３mm、Ｌ２は短タインのコイル部１２９の外端から右折曲げ点までの寸法２３０mmである。折曲げ角βは６７度、右折曲げ幅w１は１１０mmである。
【００７９】
図３９は、図３３における右側の右外曲げ長コイルばねタイン１２７の側面図であり、図４０は、同じく平面図である。図３９において、１３０は外径５５mmの長タインのコイル部である。Ｌ３は、右外曲げ長コイルばねタインの側面視全長３４cmである。Ｌ４は、コイル取付部Ｏ点から右方折曲げ点までの距離２９cm、L５は、Ｏ点から第１段折曲げ点までの距離２０５mmである。ａは第1段折曲げ点から左方折曲げ点までの下向き寸法１２mm、ｂは第１段折曲げ点左方の折り曲げ先端までの下向き寸法３４mmである。図４０において、長タイン右折曲げ部１４５aの折曲げ角γが６７度、右折曲げ幅w２は１２０mmである。
【００８０】
図３３の左側における左外曲げ短コイルばねタイン１３１および左外曲げ長コイルばねタイン１３２は、それぞれ図３７の右外曲げ短コイルばねタイン１２６および図３９の右外曲げ長コイルばねタイン１２７と端末部が左折曲げになる以外同形に形成している。
【００８１】
図４１は、扇形ばねタイン除草体１４６の後方斜視図である。１４７は鋼板製タイン上端部結束体であり、右側のストレートタイン１４８、１４８a、１４８b、外湾曲右中央タイン１４９および外湾曲左中央タイン１５０と、左側のストレートタインの上端部を包み込んで緊締している。符号を省略したが、左側にも右側と対称にストレートタインが配設されている。これらのタインは線径４ｍｍのばね条鋼である。左右の外湾曲中央タイン１４９、１５０は、上端結束体１４７の下縁から下方に３２５mmであり、ストレートタインは順次外方に１０mm程度ずつ短くしている。１５１は前記上端部結束体１４７の上端に突設した除草体シャンクである。１５２は除草体シャンク１４７を着脱自在に連結する除草体連結部である。
【００８２】
図４２は、扇形ばねタイン除草体１４６の右側面図である。扇形ばねタイン除草体１４６は、中央部を約６５mm突出させた突弧に形成し、使用時は水平面ＨＬに対し約６０度傾斜させる。１５３は円筒体であり、挿通した除草体シャンク１５１を固定する止めねじ１５４を上面に螺着している。円筒体１５４の前端部表面の上方延長線と角度４０度で除草体取付けシャンク１５５の下端を固着している。除草体取付シャンク１５５を除草体シャンクホルダー１９に挿通して固定し、扇形ばねタイン除草体１４６を横桁１８に取付けるとともに、条間に配置しタイン先端で条間を撹拌し除草する。
【００８３】
図４３は、扇形ばね除草体１４６を裏返し凹弧状に除草体連結部１５２に取付けた右側面図である。この凹弧状にした扇形ばねタイン除草体１４６は、除草され条間に浮遊している雑草を押さえて泥中に沈め死滅させる働きをする。扇形ばね除草体１４６を突弧状または凹弧状に切換えるには、円筒体１５３に除草体シャンク１５１を表または裏にして挿通し、止めねじ１５４で固定すればよく、簡単な操作で行える。図４において、最後列の横桁１８に除草体連結部１５２を介し扇形ばねタイン除草体１４６を条間に配設した状態を示した。また、図４は、前列の横桁１８に外方湾曲ばねタイン除草体６４、第２列の横桁１８に鎌刃を含む外湾曲ばねタイン４７、第３列の横桁前列の横桁に外方湾曲ばねタイン除草体６４を、それぞれ条間に配設した態様を示している。
【００８４】
図４４は、タイン上端結束体が別な扇形ばねタイン除草体１５６の後方正面図である。扇形ばねタイン除草体１５６は、タイン上部結束体をプラスチック製にし、除草体連結部１５２を使用しない構成にしたたことが、扇形ばねタイン除草体１４６と異なる。それ以外の構成は扇形ばねタイン除草体１４６と同じである。
【００８５】
図４５は、図４４の上部拡大正面斜視図である。１５７はプラスチック製タイン上部結束体であり、ストレートタイン１４８、左右の外湾曲中央タイン１４９、１５０等の上端部を包み込んで成形されている。１５８は、下部斜め下向きシャンク１５９（図４６参照）の下端部を固定する止めボルトであり、１６１はボルト孔である。１６０はシャンク嵌入溝部であり、表面と裏面に同形の長方形溝に形成され、下部斜め下向きシャンク１５９の下部がちょうど嵌り込むようになっている（図４６、図４７参照）。
【００８６】
図４６は図４４の右側面図であり、扇形ばねタイン１５６が突弧状に使用され、条間を除草する状態である。図４６は、下端部斜め下向きシャンク１５９に扇形ばねタイン１５６を裏返しに取付け、図４３で説明した扇形ばねタイン除草体１４６と同様に、条間に浮遊する雑草を泥中に押し込み死滅させるときの右側面図である。
【００８７】
図４８は、図４６の下端部斜め下向きシャンクシャンク１５９の斜視図である。図中のシャンク上向き傾斜角δは４３度であり、扇形ばねタイン１５６を突弧状または凹弧状に変えるのに適当な角度である。
【産業上の利用可能性】
【００８８】
水田の条間を走行する乗用走行機体の後部に昇降自在に連結する機枠に除草体群を配設し、除草体群中の除草体を条間と株間を同時除草するもの、条間を除草するもの、株間を除草するもの等、各種の除草体を設けたので、水田の状態に対応して的確な除草に利用できる。また、除草体がばね条鋼を湾曲して形成するものなで、回転機構等を全く用いない構成が実現でき、製作コストを低下させるので、水田除草機の製作に利用される可能性が大きい。
【図面の簡単な説明】
【００８９】
【図１】本発明に係わる水田除草機の全体側面図。
【図２】本発明に係わる水田除草機の水田における要部平面図。
【図３】本発明水田除草機の要部正面図。
【図４】同じく要部後方斜視図。
【図５】図3右端部の正面斜視図。
【図６】図3要部の正面図。
【図７】図６の平面図。
【図８】図6のＡ−Ａ線断面図。
【図９】図６のＢ−Ｂ線断面図。
【図１０】図３要部の分解斜視図。
【図１１】図１０のＣ−Ｃ線矢視の断面図。
【図１２】図１０中の除草体取付け部の側面図。
【図１３】同じく平面図。
【図１４】鎌刃付きばねタイン除草体の後方正面図。
【図１５】図14における鎌刃部の平面図。
【図１６】図14のＤ−Ｄ線矢視正面図。
【図１７】図15のＥ−Ｅ線矢視の縦断面図。
【図１８】図１４のばねタイン上端部固定体の分解斜視図。
【図１９】同じく裏面の斜視図。
【図２０】図14に示す除草体の使用時の後方斜視図。
【図２１】図14に示す除草体の除草作用を説明するための要部後方斜視図。
【図２２】外方湾曲ばねタイン除草体の後方正面図。
【図２３】図２２に示す除草体の使用時の後方斜視図。
【図２４】くま手ばねタイン除草体の後方正面図。
【図２５】同じく使用時の右側面図。
【図２６】同じく右端部の分解斜視図。
【図２７】角形外方折曲げダブルばねタイン除草体の後方斜視図。
【図２８】同じく使用時の右側面図。
【図２９】図２８Ｆ−Ｆ線矢視の平面図。
【図３０】角形外方折曲げシングルばねタイン除草体の後方正面図。
【図３１】コイルばねタイン除草体の後方正面図。
【図３２】同じく使用時の右側面図。
【図３３】門形除草体の後方斜視図。
【図３４】同じく左部分の側面図。
【図３５】図33の要部分解斜視図。
【図３６】門形除草体右側のコイルばねタインの取付けを示す分解斜視図。
【図３７】図３３における右側の短コイルばねタインの側面図。
【図３８】同じく平面図。
【図３９】図３３における右側の長コイルばねタインの側面図。
【図４０】同じく平面図。
【図４１】扇形ばねタイン除草体の後方斜視図。
【図４２】同じく右側面図。
【図４３】図４１の除草体を裏返しに使用した右側面図。
【図４４】タイン上端結束体が別な扇形ばねタイン除草体の後方正面図。
【図４５】図４４の上部拡大正面斜視図。
【図４６】図４４の右側面図。
【図４７】図４４の扇形ばねタイン除草体を裏返しに使用した右左側面図。
【図４８】図４６における上部シャンクの斜視図。
【符号の説明】
【００９０】
１      乗用走行機体
４      三点リンクヒッチ機構  
９      機枠      
１２    縦桁    
１３    舟形滑走板
１６    スライド金具      
１６a   横桁ホルダー縦シャンク嵌合孔      
１６b 横桁嵌合孔
１７   横桁ホルダー  
１７a   円筒部    
１７b   縦シャンク  
１８    横桁
１９    除草体シャンクホルダー
２０    除草体群
４３    円筒部  
４４    除草体シャンク挿通縦孔
４７    鎌刃を含む外湾曲ばねタイン除草体
４８    右鎌刃付外湾曲ばねタイン
４９    右側鎌刃    
５０    左鎌刃付外湾曲ばねタイン    
５１    右側鎌刃  
５２    右側外湾曲長ばねタイン
５３    左側外湾曲長ばねタイン
５４    右側外湾曲短ばねタイン
５５    左側外湾曲短ばねタイン
５６    ゴムバンド
５７    プラスチック製タイン固定体
５９    除草体シャンク
６０    先端交差部
６１    止めボルト孔
６３    除草体のシャンク嵌入溝
６４    外方湾曲ばねタイン除草体
６６    右外湾曲内側ばねタイン
６７    左外湾曲内側ばねタイン
６８    右外湾曲中間ばねタイン
６９    左外湾曲中間ばねタイン
７０    右外湾曲外側ばねタイン
７１    左外湾曲外側ばねタイン
７２    先端交差部
７３    プラスチック製タイン固定体  
７４    くま手ばねタイン除草体
７５    逆Ｔ形シャンク
７５a 下辺バー
７５b   直立バー
７６    先端内曲げ右内側ばねタイン
７６a   先端内曲げ部  
７７    先端内曲げ左内側ばねタイン
７７a 先端内曲げ部
７８    先端内曲げ右中間ばねタイン
７８a 先端内曲げ部
７９   先端内曲げ左中間ばねタイン 
８０    先端内曲げ右外側ばねタイン
８１    先端内曲げ左外側ばねタイン
８１a   先端内曲げ部
８６    角形外方折曲げダブルばねタイン除草体
８７    角形折曲げ右外側ばねタイン
８８    角形折曲げ右内側ばねタイン
８９    角形折曲げ左外側ばねタイン
９０    角形折曲げ左内側ばねタイン
９１    逆Ｔ形シャンク
９３    交差下端部
９６    交差下端部
９７    角形外方折曲げシングルばねタイン除草体
１０２a   交差部  
１０６    コイルばねタイン除草体
１０９    コイル部
１１２    コイル部
１１３    交差部
１１８    門形除草体
１１９    逆T形コイルばねシャンク
１２０    左コイル部
１２１    右コイル部
１２２    横バー
１２３    左曲り逆Ｌ形右平鋼柱体
１２４    右曲り逆Ｌ形左平鋼柱体
１２６    右外曲げ短コイルばねタイン
１２７    右外曲げ長コイルばねタイン
１２８    コイル取付けねじ棒
１３１    左外曲げ短コイルばねタイン
１３２    左外曲げ長コイルばねタイン
１４６    扇形ばねタイン除草体
１５２    除草体連結部
１５３    円筒体
１５４    止めねじ
１５６    扇形ばねタイン除草体
１５７    プラスチック製タイン上部結束体
１６０    シャンク嵌入溝部
Ｐ        稲株
Q        雑草
Ｄ        稲株条間寸法
e         稲株株間寸法
R        稲株列
F        前進方向
【図１】
2005287366.tif 000003
【図２】
2005287366.tif 000004
【図３】
2005287366.tif 000005
【図４】
2005287366.tif 000006
【図５】
2005287366.tif 000007
【図６】
2005287366.tif 000008
【図７】
2005287366.tif 000009
【図８】
2005287366.tif 000010
【図９】
2005287366.tif 000011
【図１０】
2005287366.tif 000012
【図１１】
2005287366.tif 000013
【図１２】
2005287366.tif 000014
【図１３】
2005287366.tif 000015
【図１４】
2005287366.tif 000016
【図１５】
2005287366.tif 000017
【図１６】
2005287366.tif 000018
【図１７】
2005287366.tif 000019
【図１８】
2005287366.tif 000020
【図１９】
2005287366.tif 000021
【図２０】
2005287366.tif 000022
【図２１】
2005287366.tif 000023
【図２２】
2005287366.tif 000024
【図２３】
2005287366.tif 000025
【図２４】
2005287366.tif 000026
【図２５】
2005287366.tif 000027
【図２６】
2005287366.tif 000028
【図２７】
2005287366.tif 000029
【図２８】
2005287366.tif 000030
【図２９】
2005287366.tif 000031
【図３０】
2005287366.tif 000032
【図３１】
2005287366.tif 000033
【図３２】
2005287366.tif 000034
【図３３】
2005287366.tif 000035
【図３４】
2005287366.tif 000036
【図３５】
2005287366.tif 000037
【図３６】
2005287366.tif 000038
【図３７】
2005287366.tif 000039
【図３８】
2005287366.tif 000040
【図３９】
2005287366.tif 000041
【図４０】
2005287366.tif 000042
【図４１】
2005287366.tif 000043
【図４２】
2005287366.tif 000044
【図４３】
2005287366.tif 000045
【図４４】
2005287366.tif 000046
【図４５】
2005287366.tif 000047
【図４６】
2005287366.tif 000048
【図４７】
2005287366.tif 000049
【図４８】
2005287366.tif 000050
【手続補正書】
【提出日】平成16年8月30日(2004.8.30)
【手続補正１】
【補正対象書類名】特許請求の範囲
【補正対象項目名】請求項１３
【補正方法】変更
【補正の内容】
【請求項１３】
前記除草体群中の除草体が、上端にシャンクを突設した鋼板製タイン上端部結束体に複数のタインの上端部を固定し、側面視が突弧状の扇形ばねタインに形成し、前記上端のシャンクを挿通させる円筒体を縦シャンクの下端部に前進方向に沿って後方斜め下向き傾斜に固着し、前記縦シャンクを前記除草体シャンクホルダーに挿通固定する除草体連結部を、前記機枠の横桁に取付け、前記突弧状扇形ばねタインを突弧状または裏返して凹弧状に、前記除草体連結部の円筒体に前記上端のシャンクを取付けるものである、請求項１、２又は３記載の水田除草機。
【手続補正２】
【補正対象書類名】明細書
【補正対象項目名】０００４
【補正方法】変更
【補正の内容】
【０００４】
例えば、特開平１０−２４３７０３号の水田除草機は、稲株の列を多数有した水田に生えた雑草を除去するものとして、機枠に条間除草部と株間除草部とを設け、
前記株間除草部を前記機枠に着脱可能にし、さらに、前記条間除草部によって除草された雑草を地中に押入する徐草押入れ部を備えるとともに、前記除草押入部を株間除草部と交
換可能にしている。
【手続補正３】
【補正対象書類名】明細書
【補正対象項目名】０００５
【補正方法】変更
【補正の内容】
【０００５】
また、特開平２００３ー２０４７０８号の水田除草機は、条間除草機構と株間除草機構とからなる除草装置を、乗用走行機体の後部に昇降自在に連結したものである。とくに、株間除草機構を、左右に往復駆動される横長の可動枠に、植付け苗条に対応して複数本ずつの除草タインを垂設しこの除草タインを可動枠ごと前記機枠に脱着可能にしている。
【特許文献１】特開平１０−２４３７０３号公報
【特許文献２】特開平２００３−２０４７０８号公報
【手続補正４】
【補正対象書類名】明細書
【補正対象項目名】００３８
【補正方法】変更
【補正の内容】
【００３８】
図１において、１は乗用走行機体であり、２は操向車輪、３は後輪である。操向車輪２と後輪３は水田の稲株条間を走行できる細幅の車輪である。４は乗用走行機体１の後部に設けられた三点リンクヒッチ機構であり、左右の下部リンク７、上部リンク８を備え、左右のリフトアーム５に連結されたリフトロッド６で下部リンク７を油圧昇降するようになっている。油圧機構は乗用走行機体１に内蔵されている。
【手続補正５】
【補正対象書類名】明細書
【補正対象項目名】００３９
【補正方法】変更
【補正の内容】
【００３９】
図２において、Ｐは稲株、Ｒは稲株条列、Ｄは稲株条間寸法、ｅは株間寸法絵ある。苗移植が、田植機で行われると、条間寸法Ｄは３０ｃｍ、株間ｅは１８ｃｍである。乗用走行機体１は４条の稲株条列Ｒをまたいで条間を走行するものである。図２は、６条の稲株列Ｒを除草する形態を示したが、除草条列を増加するには水田除草機の機幅を拡大する。
【手続補正６】
【補正対象書類名】明細書
【補正対象項目名】００４３
【補正方法】変更
【補正の内容】
【００４３】
図１０も参照して説明すると、１６はスライド金具であり、縦桁１２に前後移動自在に嵌合し、位置を調節して止めねじ４０で固定するようになっている。スライド金具１６には横桁ホルダー１７が上下位置を調節して取付けられ、横桁ホルダー１７の上部に前進方向と横軸線を直交にして円筒部１７ａ（図１１参照）が固着されている。円筒部１７ａに横桁１８を挿通し、横桁１８に除草体シャンクホルダー１９を左右に位置を調節して固定するようになっている。１６ａは、垂直に形成された横桁ホルダー１７の縦シャンク嵌合孔であり、１６ｂは縦桁嵌合孔で水平に形成されている。４０は、スライド金具１６の左右にそれぞれ設けた止めねじであり、右側のものは縦桁１２に固定するものであり、左側のは横桁ホルダー１７の縦シャンク１７ｂを固定するものである。
【手続補正７】
【補正対象書類名】明細書
【補正対象項目名】００４４
【補正方法】変更
【補正の内容】
【００４４】
図１１は図１０のＣ−Ｃ線矢視の断面図である。図１１において、横桁ホルダー１７は、円筒部１７ａの下面中央部に、平鋼板を用いた縦シャンク１７ｂが円筒横線軸と平行に頭部を固着され、円筒部１７ａ内に横桁１８を挿通し、上部と真横部に止めねじ２２で固定している。横桁１８は、止めねじ２２の出入によって、前傾または後傾状態に固定できるようになっている。４６は止めねじ２２のロックナットである。
【手続補正８】
【補正対象書類名】明細書
【補正対象項目名】００４６
【補正方法】変更
【補正の内容】
【００４６】
つぎに、図５は図３右端部の正面斜視図であり、図６は図３の要部正面図、図７は図６の平面図である。図５〜図７において、２４はマスト結合プレート、２５は縦桁結合プレートであり、主横桁１１を横断し通しボルト３１で着脱可能に主横桁１１に取付けている。３０は下部支持体であり、マスト結合プレート２４の下方で主横桁１１の下面に当接し、前記の通しボルト３１をマスト結合プレート２４に連通し、主横桁１１に固定されている。同様に、３２は下部支持体であり、下部支持体３０の外方で主横桁１１の下面に当接し、通しボルト３１が縦桁結合プレート２５に連通し、主横桁１１に固定されている。
【手続補正９】
【補正対象書類名】明細書
【補正対象項目名】００４８
【補正方法】変更
【補正の内容】
【００４８】
図９は図６のＢ−Ｂ線断面図である。図９、図１０を参照して説明すると、下部支持体３５は、上面中間部の前後に主横桁１１を挟むブラケット３６、３７を立設し、さらに内側にフランジ部３５ａを下向き直角に突設している。下部支持体３５の上面に主横桁１１をブラケット３６、３７の間に置き、通しボルト３１で縦桁結合プレート２５と下部支持体３５を取付け、主横桁１１に下部支持体３５が固定されている。３５ｂは、下部支持体３５上面の前後に設け、通しボルト３１が挿通するボルト孔である。下部支持体３２上面にも同様にボルト孔３５ｂが設けられている。
【手続補正１０】
【補正対象書類名】明細書
【補正対象項目名】００６６
【補正方法】変更
【補正の内容】
【００６６】
８８は角形折曲げ右内側ばねタイン、９０は角形折曲げ左内側ばねタインであり、上端取付環部１０５を左右間隔８５ｍｍにボルト９２で下辺部９１ａに取付け、前記の左右外側ばねタイン８７、８９を相似形に縮小した形態に形成し、下部内側折曲げ部９５の端末部９５の端末部を交差下端部９６（図２９参照）にしている。図２８は、角形外方折曲げダブルばねタイン除草体８６の使用時の右側面図である。同図のように、下部内側折曲げ部９５が下部内側折曲げ部９４の前方に位置し、交差下端部９６で株間除草を行った後に再び交差下端部９３が株間を除草、つまり、株間をダブル除草するようになっている。図２９は、図２８Ｆ−Ｆ線矢視の平面図であり、交差下端部９６、９３が前後一直線上に位置していることが示されている。
【手続補正１１】
【補正対象書類名】明細書
【補正対象項目名】００６９
【補正方法】変更
【補正の内容】
【００６９】
図３１は、コイルばねタイン除草体１０６の後方正面図である。１１４は逆Ｔ形シャンク、１１５は下辺バーである。右側コイルばねタイン１０７と左側コイルばねタイン１１０は、長さ４３０ｍｍ、線径３．５ｍｍのばね条鋼で途中で内径３０ｍｍのコイル部１０９と１１２を形成している。１０８は下部左内曲げ湾曲部、１１１は下部右内曲げ湾曲部であり、両者の端末部を交差部１１３にしている。交差部１１３は株間を除草する部分である。
【手続補正１２】
【補正対象書類名】明細書
【補正対象項目名】００７２
【補正方法】変更
【補正の内容】
【００７２】
図３３は、門形除草体１１８の後方斜視図である。図中、１１９は逆Ｔ形コイルばねシャンクであり、横バー１２２の上面中央に線径９ｍｍ、外径６０ｍｍの左コイル部１２０と右コイル部１２１を左右に並べ、コイル始端を横バー１２２上面に溶着するとともに、終端部を上方に垂直に立ち上げシャンク１１９ａにしている。このシャンク１１９ａは、除草体シャンクホルダー１９に挿通し上下位置を調節して固定されるようになっている。前記の横バー１２２は、長さ２８０ｍｍ、幅２５ｍｍ、厚さ６mmの平鋼板である。
【手続補正１３】
【補正対象書類名】明細書
【補正対象項目名】００８３
【補正方法】変更
【補正の内容】
【００８３】
図４３は、扇形ばねタイン除草体１４６を裏返し凹弧状に除草体連結部１５２に取付けた右側面図である。この凹弧状にした扇形ばねタイン除草体１４６は、除草され条間に浮遊している雑草を押さえて泥中に沈め死滅させる働きをする。扇形ばねタイン除草体１４６を突弧状又は凹弧状に切換えるには、円筒体１５３に除草体シャンク１５１を表または裏にして挿通し、止めねじ１５４で固定すればよく、簡単な操作で行える。図４において、最後列の横桁１８に除草体連結部１５２を介し扇形ばねタイン除草体１４６を条間に配設した状態を示した。また、図４は、前から第３列の横桁１８に外方湾曲ばねタイン除草体６４、第２列の横桁１８に鎌刃を含む外湾曲ばねタイン４７を、それぞれ稲株列上に配設した態様を示している。
【手続補正１４】
【補正対象書類名】明細書
【補正対象項目名】００８６
【補正方法】変更
【補正の内容】
【００８６】
図４６は図４４の右側面図であり、扇形ばねタイン除草体１５６が突弧状に使用され、条間を除草する状態である。図４６は、下端部斜め下向きシャンク１５９に扇形ばねタイン除草体１５６を裏返しに取付け、図４３で説明した扇形ばねタイン除草体１４６と同様に、条間に浮遊する雑草を泥中に押し込み死滅させるときの右側面図である。
【手続補正１５】
【補正対象書類名】明細書
【補正対象項目名】００８７
【補正方法】変更
【補正の内容】
【００８７】
図４８は、図４６の下端部斜め下向きシャンク１５９の斜視図である。図中のシャンク上向き傾斜角δは４３度であり、扇形ばねタイン除草体１５６を突弧状または凹弧状に変えるのに適当な角度である。
【手続補正１６】
【補正対象書類名】明細書
【補正対象項目名】００９０
【補正方法】変更
【補正の内容】
【００９０】
１                            乗用走行機体
４           三点リンクヒッチ機構
９           機枠
１２       縦桁
１３       舟形滑走板
１６       スライド金具
１６ａ    横桁ホルダー縦シャンク嵌合孔
１６ｂ    縦桁嵌合孔
１７       横桁ホルダー
１７ａ    円筒部
１７ｂ    縦シャンク
１８       横桁
１９       除草体シャンクホルダー
２０       除草体群
４３       円筒部
４４       除草体シャンク挿通縦孔
４７       鎌刃を含む外湾曲ばねタイン除草体
４８       右鎌刃付外湾曲ばねタイン
４９       右側鎌刃
５０       左鎌刃付外湾曲ばねタイン
５１       右側鎌刃
５２       右側外湾曲長ばねタイン
５３       左側外湾曲長ばねタイン
５４       右側外湾曲短ばねタイン
５５       左側外湾曲短ばねタイン
５６       ゴムバンド
５７       プラスチック製タイン固定体  
５９       除草体シャンク
６０       先端交差部
６１       止めボルト孔
６３       除草体のシャンク嵌入溝
６４       外方湾曲ばねタイン除草体
６６       右外湾曲内側ばねタイン
６７       左外湾曲内側ばねタイン
６８       右外湾曲中間ばねタイン
６９       左外湾曲中間ばねタイン
７０       右外湾曲外側ばねタイン
７１       左外湾曲外側ばねタイン
７２       先端交差部
７３       プラスチック製タイン固定体
７４       くま手ばねタイン除草体
７５       逆Ｔ形シャンク
７５ａ    下辺バー
７５ｂ    直立バー
７６       先端内曲げ右内側ばねタイン
７６ａ    先端内曲げ部
７８       先端内曲げ右中間ばねタイン
７８ａ    先端内曲げ部
７９       先端内曲げ左中間ばねタイン
８０       先端内曲げ右外側ばねタイン
８１       先端内曲げ左外側ばねタイン
８１ａ    先端内曲げ部
８６       角形外方折曲げダブルばねタイン除草体
８７       角形折曲げ右外側ばねタイン
８８       角形折曲げ右内側ばねタイン
８９       角形折曲げ左外側ばねタイン
９０       角形折曲げ左内側ばねタイン
９１       逆Ｔ形シャンク
９３       交差下端部
９６       交差下端部
９７       角形外方折曲げシングルばねタイン
１０２ａ交差部
１０６    コイルばねタイン除草体
１０９    コイル部
１１２    コイル部
１１３    交差部
１１８    門形除草体
１１９    逆Ｔ形コイルばねシャンク
１２０    左コイル部
１２１    右コイル部
１２２    横バー
１２３    左曲り逆Ｌ形右平鋼柱体
１２４    右曲り逆Ｌ形右平鋼柱体
１２６    右外曲げ短コイルばねタイン
１２７    右外曲げ長コイルばねタイン
１２８    コイル取付けねじ棒
１３１    左外曲げ短コイルばねタイン
１３２    左外曲げ長コイルばねタイン
１４６    扇形ばねタイン除草体
１５２    除草体連結部
１５３    円筒体
１５４    止めねじ
１５６    扇形ばねタイン除草体
１５７    プラスチック製タイン上部結束体
１６０    シャンク嵌入溝部
Ｐ           稲株
Ｑ           雑草
Ｄ           稲株条間寸法
ｅ           稲株株間寸法
Ｒ           稲株列
Ｆ           前進方向
【手続補正１７】
【補正対象書類名】図面
【補正対象項目名】図６
【補正方法】変更
【補正の内容】
【図６】
2005287366.tif 000051
【手続補正１８】
【補正対象書類名】図面
【補正対象項目名】図１０
【補正方法】変更
【補正の内容】
【図１０】
2005287366.tif 000052